(57)【要約】【課題】本発明は、半透過反射型の液晶表示装置及び電子機器に関し、反射表示及び透過表示の双方の表示モードにおける表示特性を向上させ、特に、透過表示において高いコントラストが得られるようにすることを目的とする。【解決手段】上下の基板１４，１３間に二色性色素Ｓを含む液晶層１６を挟持し、これらの上下の基板１４，１３の外面側にそれぞれ偏光板３６，２８を設け、更に、下偏光板２８と下基板１３との間に、液晶層１６の旋光による波長分散を補償又は緩和するとともに、下偏光板２８から入射された直線偏光の偏光方向を下基板１３の内面に接する液晶分子Ｌの配向方向に概ね垂直な方向に変換する位相補償層を設ける。また、液晶分子Ｌを上下の基板間で略９０°ツイストさせ、上基板１４の内面に接する液晶分子Ｌの配向方向と上偏光板３６の透過軸とを略平行とする。【選択図】　図１
2004020832.tif 000002
【特許請求の範囲】
【請求項１】
互いに対向する上基板と下基板との間に液晶層が挟持され、１つのドット領域内に透過表示領域と反射表示領域とを有する半透過反射型の液晶表示装置であって、
前記上基板の外面側に上偏光板が設けられるとともに前記下基板の外面側に下偏光板が設けられ、前記下偏光板と前記下基板との間に、前記液晶層の旋光による波長分散を補償又は緩和するとともに、前記下偏光板から入射された直線偏光の偏光方向を前記下基板の内面に接する液晶分子の配向方向に概ね垂直な方向に変換する位相補償層が設けられ、
前記液晶層は、二色性色素が混入された誘電異方性が正の液晶組成物を含み、前記液晶層の液晶分子は、非選択電圧印加時に前記上基板と前記下基板との間において基板面に平行な面内で略９０°ねじれており、前記上偏光板の透過軸方向と前記上基板の内面に接する液晶分子の配向方向とは概ね平行であることを特徴とする、液晶表示装置。
【請求項２】
互いに対向する上基板と下基板との間に液晶層が挟持され、１つのドット領域内に透過表示領域と反射表示領域とを有する半透過反射型の液晶表示装置であって、
前記上基板の外面側に上偏光板が設けられるとともに前記下基板の外面側に下偏光板が設けられ、前記透過表示領域に、前記液晶層の旋光による波長分散を補償又は緩和するとともに概ねλの位相差を形成する位相補償層が設けられ、
前記液晶層は、二色性色素が混入された誘電異方性が正の液晶組成物を含み、前記液晶層の液晶分子は、非選択電圧印加時に前記上基板と前記下基板との間において基板面に平行な面内で略９０°ねじれており、前記上偏光板の透過軸方向と前記上基板の内面に接する液晶分子の配向方向とは概ね平行であり、前記下偏光板の透過軸方向と前記下基板の内面に接する液晶分子の配向方向とは概ね垂直であることを特徴とする、液晶表示装置。
【請求項３】
互いに対向する上基板と下基板との間に液晶層が挟持され、１つのドット領域内に透過表示領域と反射表示領域とを有する半透過反射型の液晶表示装置であって、
前記上基板の外面側に上偏光板が設けられるとともに前記下基板の外面側に下偏光板が設けられ、前記透過表示領域に、前記液晶層の旋光による波長分散を補償又は緩和するとともに概ねλ／２の位相差を形成する位相補償層が設けられ、
前記液晶層は、二色性色素が混入された誘電異方性が正の液晶組成物を含み、前記液晶層の液晶分子は、非選択電圧印加時に前記上基板と前記下基板との間において基板面に平行な面内で略９０°ねじれており、前記上偏光板の透過軸方向と前記上基板の内面に接する液晶分子の配向方向とは概ね平行であり、前記位相補償層の遅相軸と前記下基板の内面に接する液晶分子の配向方向とのなす角度がθであり、前記下偏光板の透過軸と前記下基板の内面に接する液晶分子の配向方向とのなす角度が概ね２θであることを特徴とする、液晶表示装置。
【請求項４】
前記位相補償層の遅相軸と前記下偏光板の透過軸にとのなす角度θが略４５°であることを特徴とする、請求項３記載の液晶表示装置。
【請求項５】
前記位相補償層が前記半透過反射層よりも外面側に配置されたことを特徴とする、請求項２〜４のいずれかの項に記載の液晶表示装置。
【請求項６】
前記位相補償層が前記透過表示領域にのみ設けられたことを特徴とする、請求項２〜４のいずれかの項に記載の液晶表示装置。
【請求項７】
前記液晶層のリタデーション値Δｎｄ（Δｎ：屈折率異方性，ｄ：液晶層厚）が、Δｎｄ＝０．８６６・λ（λ：３８０ｎｍ〜７８０ｎｍ）であることを特徴とする、請求項１〜６のいずれかの項に記載の液晶表示装置。
【請求項８】
前記位相補償層が、複数の位相差板組み合わせとして構成されたことを特徴とする、請求項１〜７のいずれかの項に記載の液晶表示装置。
【請求項９】
前記上基板と前記下基板との間にカラーフィルタが設けられたことを特徴とする、請求項１〜８のいずれかの項に記載の液晶表示装置。
【請求項１０】
請求項１〜９のいずれかの項に記載の液晶表示装置を備えたことを特徴とする、電子機器。
【発明の詳細な説明】
【０００１】
【発明の属する技術分野】
本発明は、液晶表示装置および電子機器に関し、特に、半透過反射型の液晶表示装置であって、反射モードのみならず、透過モード時にも十分に明るい表示が可能な液晶表示装置の構成に関するものである。
【０００２】
【従来の技術】
従来から、明るい場所では、通常の反射型の液晶表示装置と同様に外光を利用し、暗い場所では、内部の光源により表示を視認可能にした液晶表示装置が提案されている。この液晶表示装置は、反射モードと透過モードを兼ね備えた表示方式を採用しており、周囲の明るさに応じていずれかの表示方式に切り替えることにより、消費電力を低減しつつ周囲が暗い場合でも明瞭な表示を行うことができる。以下、本明細書では、この種の液晶表示装置のことを「半透過反射型液晶表示装置」という。半透過反射型液晶表示装置の一形態として、アルミニウム等の金属膜に光透過用の開口部を形成した反射膜を下基板の内面に備え、この反射膜を半透過反射膜として機能させるものが提案されている。なお、本明細書では液晶表示装置を構成する各基板の液晶側の面を「内面」、それと反対側の面を「外面」という。
【０００３】
図１６は、この種の半透過反射膜を用いた半透過反射型液晶表示装置の一例を示している。
この液晶表示装置１００では、一対のガラス基板１０１，１０２間に液晶層１０３が挟持されており、下基板１０１の内面に、開口部１０４ａを有する半透過反射層１０４、透明電極１０８、配向膜１０７が形成されている。一方、上基板１０２の内面には、透明電極１１２、配向膜１１３が形成されている。
【０００４】
また、上基板１０２の外面側には、２枚の位相差板１１８、１１９（これら位相差板は１／４波長板１２０として機能する）、上偏光板１１４が配置され、下基板１０１の外面側には、１／４波長板１１５、下偏光板１１６が設けられている。さらに、光源１２２、導光板１２３、反射板１２４等からなるバックライト１１７が下偏光板１１６の下方に配置されている。なお、１／４波長板１１５，１２０は、ある波長帯域において直線偏光をほぼ円偏光にすることができるものである。
【０００５】
図１６に示す半透過反射型液晶表示装置１００の表示原理を以下、図１７を用いて説明する。なお、図１７では、図１１の液晶表示装置の構成要素のうち、表示原理の説明に必要なものだけを図示している。
まず、暗表示を行う場合には、液晶層１０３に電圧を印加して（オン状態として）液晶層１０３での位相差がない状態としておく。反射表示においては、上偏光板１１４の上方から入射した光は、上偏光板１１４の透過軸を紙面に垂直とすると、上偏光板１１４を透過した後、紙面に垂直な直線偏光となり、さらに１／４波長板１２０を透過した後、左回りの円偏光となり、液晶層１０３を透過する。そして、半透過反射層１０４の表面で反射すると回転方向が反転して右回りの円偏光となり、液晶層１０３を透過し、１／４波長板１２０を透過した後、紙面に平行な直線偏光となる。ここで、上偏光板１１４は紙面に垂直な透過軸を有しているので、反射光は上偏光板１１４に吸収されて外部（観察者側）へは戻らず、暗表示となる。
【０００６】
一方、透過表示においては、バックライト１１７から出射された光は、下偏光板１１６の透過軸を紙面に平行とした場合、下偏光板１１６を透過した後、紙面に平行な直線偏光となり、さらに１／４波長板１１５を透過した後、右回りの円偏光となり、液晶層１０３を透過する。そして、右回りの円偏光が１／４波長板１２０を透過した後、紙面に平行な直線偏光となり、反射モードと同様、上偏光板１１４に吸収されて暗表示となる。
【０００７】
次に、明表示を行う場合には、液晶層１０３に電圧を印加しない状態（オフ状態）とし、このときの液晶層１０３での複屈折効果による位相差が１／４波長になるように設定しておく。反射表示においては、上偏光板１１４の上方から入射し、上偏光板１１４、１／４波長板１２０を透過した後の左回りの円偏光は、液晶層１０３を透過して半透過反射層１０４の表面に到達した段階で紙面に平行な直線偏光となる。そして、半透過反射層１０４の表面で反射して液晶層１０３を透過すると、再度左回りの円偏光となり、１／４波長板１２０を透過した後、紙面に垂直な直線偏光となる。ここで、上偏光板１１４は紙面に垂直な透過軸を有しているので、反射光は上偏光板１１４を透過して外部（観察者側）へ戻り、明表示となる。
【０００８】
一方、透過表示においては、バックライト１１７から入射し、下偏光板１１６、１／４波長板１１５を透過した後の右回りの円偏光は、液晶層１０３を透過した段階で紙面に垂直な直線偏光となる。そして、紙面に垂直な直線偏光が１／４波長板１２０を透過すると左回りの円偏光となり、上偏光板１１４は紙面に垂直な透過軸を有しているので、左回りの円偏光のうち、紙面に垂直な直線偏光のみが上偏光板１１４を透過して明表示となる。
【０００９】
【発明が解決しようとする課題】
このように、図１６、図１７に示す液晶表示装置１００によれば、外光の有無に関わらず表示の視認が可能ではあるものの、反射表示に比べて透過表示の明るさが不足するという問題があった。
その原因の一つは、図１７による表示原理の説明で述べたように、透過表示で明表示を行う場合、液晶層１０３、１／４波長板１２０を透過して上偏光板１１４に入射される光が円偏光となっているので、その円偏光の略半分の光が上偏光板１１４で吸収されてしまい、表示に寄与しないからである。
【００１０】
また、他の原因の一つは、バックライト１１７から出射された光のうち、半透過反射層１０４の開口部１０４ａを通過せず、半透過反射層１０４の裏面で反射した光は、回転方向が反転して左回りの円偏光となり、１／４波長板１１５を透過すると紙面に垂直な直線偏光になる。そして、この直線偏光が紙面に平行な透過軸を有する下偏光板１１６によって吸収されることになる。つまり、バックライト１１７から出射された光のうち、開口部１０４ａを通過しなかった光が、仮に下偏光板１１６に吸収されることなく下偏光板１１６を透過してバックライト１１７まで戻ってくれば、この戻り光が再度液晶セルに向けて出射されるが、実際には半透過反射層１０４の裏面で反射した後、下偏光板１１６によってほぼ全てが吸収されてしまい、再利用できないからである。
【００１１】
ところで、二色性色素を添加した液晶、いわゆるゲストホスト液晶については良く知られている。このゲストホスト液晶を半透過反射型液晶表示装置に用いた場合、反射表示部では光が液晶層を２回通過するのに対して、透過表示部においては光が液晶層を通過するのは１回だけであるので、二色性色素による光の吸収量が反射表示部と透過表示部とで異なる。したがって、透過表示で充分なコントラストが得られるように色素濃度を調整すると、非常に反射率の低い反射表示しか得られない。逆に、反射表示で充分な明るさと適正なコントラストが得られるように色素濃度を調整すると、透過表示においては非常に低いコントラストになってしまうという問題があった。
【００１２】
このようにゲストホスト液晶を半透過反射型液晶表示装置に適用した場合、反射表示と透過表示の双方で良好な光学特性を得るのは困難であった。この問題点を解決する手法が特開平１１−２４２２２６号公報に開示されているが、この手法では反射表示部と透過表示部とで同時刻の液晶の配向状態を異ならせることが必須であり、そのために装置構成が複雑で製造も困難であるという欠点を有している。
【００１３】
本発明は、上記の課題を解決するためになされたものであって、反射表示と透過表示の双方が可能な半透過反射型の液晶表示装置において、双方の表示モードにおける表示特性を向上させ、透過表示において高いコントラストが得られる液晶表示装置を提供することを目的とする。また、本発明は、反射表示と透過表示の双方の表示モードにおける表示特性を向上させ、透過表示におけるコントラストを高めた液晶表示部を備えた電子機器を提供することを目的とする。
【００１４】
【課題を解決するための手段】
上記の目的を達成するために、本発明の液晶表示装置は、互いに対向する上基板と下基板との間に液晶層が挟持され、１つのドット領域内に透過表示領域と反射表示領域とを有する半透過反射型の液晶表示装置であって、前記上基板の外面側に上偏光板が設けられるとともに前記下基板の外面側に下偏光板が設けられ、前記下偏光板と前記下基板との間に、前記液晶層の旋光による波長分散を補償又は緩和するとともに、前記下偏光板から入射された直線偏光の偏光方向を前記下基板の内面に接する液晶分子の配向方向に概ね垂直な方向に変換する位相補償層が設けられ、前記液晶層は、二色性色素が混入された誘電異方性が正の液晶組成物を含み、前記液晶層の液晶分子は、非選択電圧印加時に前記上基板と前記下基板との間において基板面に平行な面内で略９０°ねじれており、前記上偏光板の透過軸方向と前記上基板の内面に接する液晶分子の配向方向とは概ね平行であることを特徴とする。
【００１５】
この構成の透過モードにおける暗表示時の作用について、図２を用いて説明する。図２は本発明の原理を説明するための図であり、二色性色素Ｓを含んだ液晶層１６が上下の基板１４，１３で挟持され、各基板１４，１３の外面側にそれぞれ偏光板３６，２８が設けられるとともに、下基板１３の内面側に半透過反射層１８が形成された半透過反射型の液晶表示装置を模式的に示している。
ここで、液晶層１６の液晶分子Ｌは、非選択電圧印加時に上基板１４と下基板１３との間において基板面に平行な面内で略９０°ねじれており、上基板１４の内面側に接する液晶分子Ｌの配向方向は上偏光板３６の透過軸に略平行となっている。また、比較のために、この液晶表示装置を位相補償層を設けない左側部分と、位相補償層６０を下基板１３と下偏光板２８との間に介装させた右側部分とに分けているが、各下偏光板２８の透過軸は下基板１３の内面側に接する液晶分子Ｌの配向方向に対して適宜の角度に配され、液晶層１６に入射する光の偏光方向が上記配向方向に概ね垂直となるようになっている。
【００１６】
本構成によれば、透過表示において、下偏光板２８を透過して直線偏光となった光は、位相補償層６０により、その偏光方向が下基板２８の内面に接する液晶分子Ｌの配向方向と概ね垂直となるように変換される（図２の右側部分参照）。そして、この光は液晶層１６を透過すると、その偏光方向は、９０°回転されて上偏光板３６の透過軸と概ね垂直となる。
また、上記の光は、液晶層１６を透過する前に予め液晶層１６の旋光による波長分散を補償又は緩和する方向に位相がずらされるため、上偏光板３６に到達した際の光のトータルの位相のずれ量は位相補償層６０がない場合（図２の左側部分参照）に比べて小さくなる。その結果、上偏光板３６に到達した上記の光の偏光状態は、位相補償層６０がない場合に比べて直線偏光に近くなり、光抜けが防止されて良好な暗表示となる。
【００１７】
理想的には、可視光の広い波長範囲に亘って液晶の旋光性による波長分散が完全に補償されるようにすることで、図２の右側部分に示したように、上偏光板に到達したＲ，Ｇ，Ｂの光の全てが楕円偏光成分を全く含まない直線偏光となり、出射光量をゼロとすることができる。これにより、暗表示における光抜けを効果的に抑えることができ、透過表示におけるコントラストを向上させることができる。
【００１８】
また、図示を省略するが、本構成では、反射表示では液晶による旋光性と二色性色素Ｓによる光吸収とを利用しているため、色素濃度を調節することで、このような色素の光吸収を利用して表示を行なう反射表示と、光の旋光性のみを利用する透過表示との双方の表示特性を同時に向上することができる。また、透過表示に円偏光を用いないため、明表示時に上偏光板で吸収される成分がなく、透過表示を明るくすることができる。さらに、本発明の液晶表示装置においては、透過表示部と反射表示部の同時刻における液晶の配向状態は基本的に同じでよく、複雑な構成を必要としない。
【００１９】
また、本発明の液晶表示装置は、互いに対向する上基板と下基板との間に液晶層が挟持され、１つのドット領域内に透過表示領域と反射表示領域とを有する半透過反射型の液晶表示装置であって、前記上基板の外面側に上偏光板が設けられるとともに前記下基板の外面側に下偏光板が設けられ、前記透過表示領域に前記液晶層の旋光による波長分散を補償又は緩和するとともに概ねλの位相差を形成する位相補償層が設けられ、前記液晶層は、二色性色素が混入された誘電異方性が正の液晶組成物を含み、前記液晶層の液晶分子は、非選択電圧印加時に前記上基板と前記下基板との間において基板面に平行な面内で略９０°ねじれており、前記上偏光板の透過軸方向と前記上基板の内面に接する液晶分子の配向方向とは概ね平行であり、前記下偏光板の透過軸方向と前記下基板の内面に接する液晶分子の配向方向とは概ね垂直であることを特徴とする。
【００２０】
すなわち、本構成は、下偏光板の透過軸を下基板の内面に接する液晶分子の配向方向と概ね垂直とするとともに、位相補償層によって形成される位相差を概ねλとして下偏光板から入射される直線偏光の偏光状態を保持するようにしたものである。本構成によっても、下偏光板から液晶層内に入射する光を、その偏光方向が下基板の内面に接する液晶分子の配向方向に概ね垂直で、且つ、その位相が液晶の旋光性による波長分散が補償又は緩和される方向にずれた状態とすることができる。そのため、上述したのと同様の作用効果を奏し、透過表示のコントラストを向上させることができる。
【００２１】
さらに、本発明の液晶表示装置は、互いに対向する上基板と下基板との間に液晶層が挟持され、１つのドット領域内に透過表示領域と反射表示領域とを有する半透過反射型の液晶表示装置であって、前記上基板の外面側に上偏光板が設けられるとともに前記下基板の外面側に下偏光板が設けられ、前記透過表示領域に、前記液晶層の旋光による波長分散を補償又は緩和するとともに概ねλ／２の位相差を形成する位相補償層が設けられ、前記液晶層は、二色性色素が混入された誘電異方性が正の液晶組成物を含み、前記液晶層の液晶分子は、非選択電圧印加時に前記上基板と前記下基板との間において基板面に平行な面内で略９０°ねじれており、前記上偏光板の透過軸方向と前記上基板の内面に接する液晶分子の配向方向とは概ね平行であり、前記位相補償層の遅相軸と前記下基板の内面に接する液晶分子の配向方向とのなす角度がθであり、前記下偏光板の透過軸と前記下基板の内面に接する液晶分子の配向方向とのなす角度が概ね２θであることを特徴とする。
【００２２】
この構成によれば、透過表示において、下偏光板を透過して直線偏光となった光は、位相補償層によってその偏光方向が２θだけ回転されるため、下基板に到達した際に、その偏光方向が下基板の内面に接する液晶分子の配向方向に概ね垂直となる。したがって、本構成でも上述したのと同様の作用効果を奏し、透過表示のコントラストを向上させることができる。
【００２３】
なお、上記のθの値は略４５°であることが望ましい。この構成によれば、透過表示において、下偏光板を透過して直線偏光となった光は位相補償層を透過すると、偏光面が略９０°回転された直線偏光となる。そして、この直線偏光の内、半透過反射層の裏面で反射された光は位相補償層を透過して再度偏光面を９０°回転され、下偏光板に戻される。この際、この直線偏光の偏光方向と下偏光板の透過軸とは平行であるため、この直線偏光は下偏光板をそのまま透過する。このため、半透過反射層で反射された光を再利用して透過表示に寄与させることができ、明るい表示が可能となる。
【００２４】
また、位相補償層を半透過反射層よりも外面側に配置することが好ましい。この構成によれば、反射表示において輝度が低下することがなく明るい表示が得られる。勿論、位相補償層を透過表示領域にのみ設けてもよい。この構成によっても反射表示の輝度を低下させることはない。
また、前記液晶層のリタデーション値Δｎｄ（Δｎ：屈折率異方性，ｄ：液晶層厚）が、Δｎｄ＝０．８６６・λ（λ：３８０ｎｍ〜７８０ｎｍ）を満たすように構成してもよい。この構成によれば、反射表示において階調反転のない高い表示品質を得ることができる。なお、Δｎｄ＝０．８６６・λとすべき根拠については、［発明の実施の形態］の項で後述する。
【００２５】
位相補償層を、複数の位相差板の組み合わせとして構成してもよい。この構成によれば、液晶層に対して位相補償層のリタデーションを合わせこむ際の部材選択の自由度が高まる。
なお、上基板と下基板との間にカラーフィルタを設けてもよい。この構成によれば、反射表示、透過表示の双方で明瞭なカラー表示が可能な液晶表示装置を実現することができる。
本発明の電子機器は、上記本発明の液晶表示装置を備えたことを特徴とする。
この構成によれば、反射表示、透過表示の双方ともに明るく、特に透過表示においてコントラストの高い液晶表示部を備えた電子機器を提供することができる。
【００２６】
【発明の実施の形態】
以下、本発明の一実施形態について説明すると、図１は本実施形態の液晶表示装置の概略構成を示す断面図であり、図３〜図６はいずれもその表示原理を説明するための図であって、表示原理の説明に必要な構成要素のみを示す図であり、図８〜図１０はいずれも上記液晶表示装置を備えた電子機器の例を示す図である。本実施形態はアクティブマトリクス方式の半透過反射型カラー液晶表示装置の例であり、以下の全ての図面においては、図面を見やすくするため、各構成要素の膜厚や寸法の比率などは適宜異ならせてある。
【００２７】
本実施の形態の液晶表示装置１０は、図１に示すように、液晶セル１１とバックライト１２（照明装置）とを備えたものである。液晶セル１１は、下基板１３と上基板１４とが対向配置され、これら上基板１４と下基板１３とに挟まれた空間に、二色性色素Ｓを添加した誘電率異方性が正のＴＮ液晶が封入されて液晶層１６が構成されている。そして、液晶セル１１の後面側（下基板１３の外面側）にバックライト１２が配置されている。本実施の形態における二色性色素Ｓは液晶に添加されて液晶分子Ｌと同方向に配向する。また、この二色性色素ＳはいわゆるＰ型の二色性色素であり、液晶分子Ｌの配向方向に平行な直線偏光に対して最大の吸光度を示し、液晶分子Ｌの配向方向に垂直な直線偏光に対して最小の吸光度を示す。
【００２８】
ガラスやプラスチックなどの透光性材料からなる下基板１３の内面側には、アルミニウム、銀、またはこれらの合金等の反射率の高い金属膜からなる半透過反射層１８が形成されている。半透過反射層１８には、バックライト１２から出射された光を透過させるための開口部１８ａが各ドット毎に設けられており、半透過反射層１８の形成領域のうち、実際に金属膜が存在している部分が反射表示領域Ｒ、開口部１８ａの部分が透過表示領域Ｔを構成している。
【００２９】
また、下基板１３の内面側には、半透過反射層１８を被覆するように、Ｒ（赤）、Ｇ（緑）、Ｂ（青）の各色素層５１〜５３を有するカラーフィルタ５０が設けられている。そして、このカラーフィルタ５０の上に、ＩＴＯ（Ｉｎｄｉｕｍ　Ｔｉｎ　Ｏｘｉｄｅ）等の透明導電膜からなる画素電極２３が形成され、画素電極２３を覆うようにポリイミド等からなる配向膜２４が積層されている。また、下基板１３の外面側には位相補償層６０が設けられ、この位相補償層６０の外面側には下偏光板２８が設けられている。
【００３０】
位相補償層６０には、ポリカーボネイトやＰＶＡ等、液晶層１６の旋光による波長分散と概ね逆の波長分散を有する部材が用いられ、液晶層１６の旋光による波長分散特性を補償又は緩和するようになっている。つまり、この位相補償層６０と液晶層１６とは、直線偏光を楕円偏光に変換する場合の位相のずれの方向が互いに逆向き（即ち、楕円の回転方向が互いに逆回り）となっており、下偏光板２８を透過して直線偏光となった光は、位相補償層６０により予め液晶層１６の旋光による波長分散を補償又は緩和する方向に位相がずれた楕円偏光に変換されるようになっている。
【００３１】
この楕円偏光はツイスト配向した液晶層１６を透過すると、その位相が液晶層１６により上記のずれ方向と逆方向にずらされるため、トータルの位相のずれ量は位相補償層６０を設けない場合に比べて小さくなり、上偏光板３６に到達した光を直線偏光から若干ずれた楕円偏光とすることができる。
なお、このような波長分散の補償又は緩和は可視光の広い波長領域において行なわれることが望ましいが、必ずしも可視光の全範囲で行なわれる必要はなく、可視光の一部の波長領域内で緩和されるだけでも効果がある。
【００３２】
また、この位相補償層６０は下偏光板２８から入射した直線偏光の偏光面を９０°回転させるλ／２板として構成されており、バックライトの光利用効率を高めてより明るい表示を可能としている。つまり、バックライトから出射され下偏光板２８を透過して直線偏光となった光は、位相補償層６０を透過すると、偏光面が略９０°回転された直線偏光となる。そして、この直線偏光の内、半透過反射層１８の裏面で反射された光は位相補償層６０を透過して再度偏光面を９０°回転され、下偏光板２８に戻される。この際、この直線偏光の偏光方向と下偏光板２８の透過軸の方向とは平行であるため、この直線偏光は下偏光板２８に吸収されることなくそのまま透過してバックライト１２に戻る。そして、バックライト１２下面の反射板４０で反射されて再度液晶セル１１に向けて出射されるので、半透過反射層１８の裏面で反射された光を再利用して透過表示に寄与させることができるのである。
【００３３】
なお、この位相補償層６０は、複数の位相差板を組み合わせて構成してもよい。これにより、液晶に対してリタデーションを合わせこむ際の部材選択の自由度が高まり、液晶の旋光による波長分散を広い波長領域で補償しやすくなる。
また、下基板１３はＴＦＴ等の画素スイッチング素子、データ線、走査線等が形成された素子基板から構成されているが、図１においては画素スイッチング素子、データ線、走査線等の図示は省略する。
一方、ガラスやプラスチックなどの透光性材料からなる上基板１４の内面側には、ＩＴＯ等の透明導電膜からなる共通電極３２、ポリイミド等からなる配向膜３３が順次積層されている。また、上基板１４の外面側には上偏光板３６が設けられている。
【００３４】
上基板１４側、下基板１３側の配向膜３３，２４はともにラビング処理等の水平配向処理がなされており、上基板１４側の配向膜３３の配向方向は図１における紙面に平行な方向、下基板１３側の配向膜２４の配向方向は図１における紙面に垂直な方向にそれぞれ設定されている。このため、液晶層１６の液晶分子Ｌと二色性色素分子Ｓとは非選択電圧印加（電圧オフ）時に上基板１４と下基板１３との間において基板面に平行な面内で略９０°ツイストした状態となっている。
また、上偏光板３６の透過軸方向は図１における紙面に平行な方向に設定され、下偏光板２８の透過軸方向は図１における紙面に垂直な方向に設定されている。すなわち、上偏光板３６の透過軸方向と上基板１４の内面に接する液晶分子Ｌの配向方向とは概ね平行とされ、下偏光板２８の透過軸方向と下基板１３の内面に接する液晶分子Ｌの配向方向とは概ね平行とされている。
【００３５】
さらに、液晶層１６のリタデーションΔｎｄ（Δｎ：液晶層１６の屈折率異方性、ｄ：液晶層厚）の値は、液晶層１６を通過する可視光の波長をλ、Ｎを自然数として、下式（２）を満たすように設定されている。
Δｎｄ＝λ／２・（４Ｎ２−１）０．５　　　　・・・（１）
【００３６】
式（１）は、透過表示において電圧オフ時の透過光量を最小にするものとして一般に知られており、これにより、高いコントラストが得られるようになっている。また、Δｎｄが大きい場合には、電圧無印加状態から徐々に液晶層に電圧を印加していったときに表示が一旦明るくなった後に再度表示が暗くなる現象（階調反転現象）が観察されるため、本実施形態の液晶表示装置では、上記Ｎの値を１に設定して液晶層１６のリタデーションΔｎｄを下式（２）を満たすように構成している。
Δｎｄ＝０．８６６λ　・・・（２）
【００３７】
つまり、ＴＮ液晶では旋光性を十分に発揮するためにはΔｎｄが下記のモーガン条件（３）を満たす必要があるが、電圧印加に伴って実効的なΔｎｄが小さくなる過程で、液晶層内を伝播した光は十分に旋光されずに楕円偏光となっているので、偏光板の偏光軸からずれた光が一部偏光板に一部吸収されてしまい、暗くなる。
Δｎｄ＞２λ　　・・・（３）
このような階調反転現象は表示を正面から見た場合にも生じ、特に光が液晶層を二回通過する反射表示時で顕著に現れ、視認性を低下させる要因となる。特に、同じ電圧における実効的なΔｎｄが大きい場合には、楕円偏光の度合いも大きくなり、階調反転時の輝度の落ち込みが大きくなるため、透過表示時の高いコントラスト性能を損なわない範囲で上述のＮの値を最小とすることで、このような階調反転による輝度の落ち込み量が最小限に抑えられるようにしているのである。また、液晶層厚ｄが薄くなることで、通常のＴＮ液晶で見られるような高輝度，高速応答化，低閾値電圧等の効果も得られる。
【００３８】
なお、Δｎｄの値は、λを可視光の波長域３８０ｎｍ〜７８０ｎｍとして、一定の幅を有しており、コントラスト等の要求仕様に基づいて最適値に設定される。例えば、上式（２）のλを視感度の高いＧ（緑）に近い光の波長に合わせることで、高いコントラストが得られるようになっている。
バックライト１２は、光源３７と反射板３８と導光板３９を有しており、導光板３９の下面側（液晶パネル１と反対側）には、導光板３９中を透過する光を液晶セル１１側に向けて出射させるための反射板４０が設けられている。
【００３９】
以下、本実施の形態の液晶表示装置１０の表示原理を図３〜図６を用いて説明する。
まず、反射モードで暗表示を行う場合（図３参照）には、液晶層１６に電圧を印加しない状態（非選択電圧印加状態）とし、液晶分子Ｌおよび二色性色素分子Ｓが上下基板間で略９０°ツイスト配向した状態とする。上偏光板３６の上方から入射した光は、上偏光板３６の透過軸が紙面に平行なので、上偏光板３６を透過した後、紙面に平行な直線偏光となる。
【００４０】
この直線偏光は、液晶分子Ｌのねじれに沿って二色性色素分子Ｓに吸収されながら旋光し、半透過反射層１８に到達して反射された後、さらに同じ経路を通って二色性色素分子Ｓに吸収されながら旋光して戻ってくる。この際、色素層５１〜５３を透過したＲ，Ｂの光は、液晶層１６の旋光による波長分散により、直線偏光から少しだけずれた楕円偏光となるが、これらの光は液晶層１６を２度通ることになるため、このような楕円偏光成分は二色性色素Ｓに充分に吸収され良好な暗表示が得られる。
【００４１】
次に、反射モードで明表示を行う場合（図４参照）には、液晶層１６に電圧を印加した状態（選択電圧印加状態）とし、液晶分子Ｌおよび二色性色素分子Ｓが基板面の略法線方向に立ち上がった状態とする。この場合、上偏光板３６の上方から入射した紙面に平行な直線偏光は、液晶層１６を往復する間、二色性色素分子Ｓによってほとんど吸収されず、旋光することもなく、そのまま上偏光板３６に戻ってくる。したがって、この光は上偏光板３６を透過して外部（観察者側）へ戻るため、明表示となる。
【００４２】
一方、透過モードで暗表示を行う場合（図５参照）には、液晶分子Ｌおよび二色性色素分子Ｓの配向は反射モードにおける暗表示の場合と同様にしておく。バックライト１２から入射した光は、下偏光板２８を透過した後、紙面に垂直な直線偏光（即ち、Ｒ，Ｇ，Ｂの直線偏光）となり、位相補償層６０を透過してその偏光面を９０°回転される。また、これらのＲ，Ｇ，Ｂの直線偏光は、位相補償層６０を透過する際、液晶の旋光による波長分散を補償又は緩和する方向に位相がずらされ、Ｒ，Ｂの直線偏光は直線偏光から少しだけずれた互いに逆回りの楕円偏光に変換される。
【００４３】
そして、これらのＲ，Ｇ，Ｂの光が液晶層１６に入ると、液晶の持つ旋光性によりＲ，Ｇ，Ｂの各直線偏光は偏光面が略９０°回転されるとともに、液晶の旋光による波長分散によりＲ，Ｂの楕円偏光は位相補償層６０による上記位相のずれと逆の方向に位相がずらされ、トータルの位相のずれ量は位相補償層６０がない場合に比べて小さくなる。これにより、Ｒ，Ｇ，Ｂの光はいずれも直線偏光に近い光として上基板１４側に到達する。そして、これらの直線偏光の偏光方向は上偏光板３６の透過軸方向と直交しているため、上偏光板３６によって略完全に吸収され、極めて良好な暗表示が得られる。
【００４４】
次に、透過モードで明表示を行う場合（図６参照）には、液晶分子Ｌおよび二色性色素分子Ｓの配向は反射モードにおける明表示の場合と同様に、基板面に対して略垂直配向の状態としておく。バックライト１２から入射した光は、下偏光板２８を透過した後、紙面に垂直な直線偏光（即ち、Ｒ，Ｇ，Ｂの直線偏光）となり、位相補償層６０を透過してその偏光面を９０°回転される。また、これらのＲ，Ｇ，Ｂの直線偏光は、位相補償層６０を透過する際、Ｇの偏光状態は変わらず、Ｒ，Ｂの直線偏光は直線偏光から少しだけずれた互いに逆回りの楕円偏光に変換される。
【００４５】
そして、これらのＲ，Ｇ，Ｂの光は、旋光性の消失した液晶層１６をそのまま透過し、これらの偏光方向と平行な透過軸を有する上偏光板３６を透過して明表示となる。この際、Ｒ，Ｂの光は楕円偏光成分を含むため、二色性色素Ｓや上偏光板３６によって僅かに吸収されるが、これによる輝度の低下は表示上殆ど問題にならない。
なお、下偏光板２８を透過した紙面に平行な直線偏光のうち、半透過反射層１８の裏面で反射された光は、位相補償層６０を透過して再び偏光面が９０°回転し、下偏光板２８によって吸収されることなくバックライト１２に戻る。そして、バックライト１２下面の反射板４０で反射して再度液晶セル１１に向けて出射され、再利用される。
【００４６】
本実施の形態の液晶表示装置１０においては、反射表示では液晶による光の旋光性と二色性色素による光の吸収の双方を利用し、透過表示では液晶による光の旋光性のみを利用することによって、反射表示と透過表示の双方の表示特性を独立に向上させることができる。すなわち、反射表示はゲストホストモードを用い、二色性色素の添加量等によりコントラストを調節する一方、透過表示は、二色性色素にほとんど関係なく、液晶配向のねじれによる光の旋光性のみ利用したＴＮモードを用いているので、反射表示のコントラストとは独立して容易に高いコントラストを得ることができる。
【００４７】
なお、二色性色素Ｓの添加量は、反射表示における明るさ向上の観点からは、通常のゲストホストモードと比べて少ない方が好ましく、透過表示におけるコントラスト向上の観点からは、明表示の明るさを損なわない範囲で多い方が好ましい。その理由は、本実施の形態の場合、反射表示においては、色素による吸収のみを用いるのではなく、液晶の持つ光の旋光性も合わせて用いるため、色素はそれ程多くなくても足りることと、色素が多いと、分子が垂直配向していても明表示における吸収分が増えることとなり、反射表示と透過表示との双方で、明表示の明るさが低下するからである。
【００４８】
一方、透過表示においては、暗表示を行なう場合に、位相補償層６０によって波長分散を補償しきれずに直線偏光から若干ずれた楕円偏光は二色性色素Ｓによって吸収され、暗表示の光抜けが効果的に防止できるためである。このため、二色性色素Ｓの添加量は明るさやコントラスト等の要求仕様に応じて最適な値に設定される。
【００４９】
また、本実施形態の液晶表示装置１０では透過表示に円偏光を用いないため、明表示時に上偏光板３６で吸収される成分がなく、反射表示領域Ｒにおける半透過反射層１８の裏面側で反射された光が下偏光板２８で吸収される成分もないため、光の再利用が可能になり、透過表示を明るくすることができる。
さらに、本実施の形態の液晶表示装置においては、透過表示領域Ｔと反射表示領域Ｒの同時刻における液晶分子の配向状態は基本的に同じでよく、複雑な構成を必要としないので、製造が容易である。
【００５０】
また、液晶層１６のリタデーション値Δｎｄが上式（３）を満たすように液晶層厚を設定しているため、反射表示においては階調反転のない視認性に優れた表示を得ることができ、透過表示においては明るく高コントラストな表示を得ることができる。
さらに、透過表示において、位相補償層６０により液晶層１６の旋光による波長分散を補償しているため、暗表示の輝度を更に低下させ、コントラストを大幅に向上させることができる。
【００５１】
［電子機器］
上記実施形態の液晶表示装置を備えた電子機器の例について説明する。
図８は、携帯電話の一例を示した斜視図である。図８において、符号１０００は携帯電話本体を示し、符号１００１は上記実施形態の液晶表示装置を用いた液晶表示部を示している。
【００５２】
図９は、腕時計型電子機器の一例を示した斜視図である。図９において、符号１１００は時計本体を示し、符号１１０１は上記実施形態の液晶表示装置を用いた液晶表示部を示している。
【００５３】
図１０は、ワープロ、パソコンなどの携帯型情報処理装置の一例を示した斜視図である。図１０において、符号１２００は情報処理装置、符号１２０２はキーボードなどの入力部、符号１２０４は情報処理装置本体、符号１２０６は上記実施形態の液晶表示装置を用いた液晶表示部を示している。
【００５４】
図８〜図１０に示す電子機器は、上記実施形態の液晶表示装置を用いた液晶表示部を備えているので、反射モード、透過モードにかかわらず明るく視認性に優れた表示が得られ、特に透過表示において高コントラストな表示部を有する電子機器を実現することができる。
【００５５】
なお、本発明の技術範囲は上記実施の形態に限定されるものではなく、本発明の趣旨を逸脱しない範囲において種々の変更を加えることが可能である。例えば本発明は、上記実施の形態のようにアクティブマトリクス方式の半透過反射型カラー液晶表示装置に限ることなく、パッシブマトリクス方式、ドットマトリクス方式や白黒表示の液晶表示装置に適用することも可能である。
また、位相補償層６０は必ずしも下偏光板２８と下基板１３との間の位置に設けられる必要はなく、透過表示領域にあればよい。
【００５６】
【実施例】
本発明者らは、本発明の効果を実証するために本発明に係る構成の液晶表示装置を実際に作製し、透過率と反射率、およびコントラストを測定した。その結果について以下、報告する。
【００５７】
本実施例では、色素濃度ｃ（ｗｔ％）を変えた二種類の液晶セルＣ１，Ｃ２を作製した。
この液晶セルＣ１，Ｃ２を作製するに当たっては、誘電異方性が正の液晶組成物として、ＭＪ９６４１１（商品名、メルク社製）にカイラル物質を少量添加したものを用いた。この液晶組成物の屈折率異方性Δｎは５８９ｎｍの波長の光に対して０．１２である。
また、二色性色素として下記の表１に示す４種類の色素（三菱化学社製）を用い、表１に示した混合比で混合して黒色色素とした。そして、この黒色色素を所定の濃度ｃ（ｗｔ％）で上記液晶に混合してゲストホスト液晶とした。
【００５８】
【表１】
2004020832.tif 000003
【００５９】
そして、通常の方法により９０°ツイストのＴＮセルを作製して上記ゲストホスト液晶を注入した後、上基板及び下基板の外面側に日東電工社製の偏光板ＳＥＧ１４２５ＤＵ（商品名、偏光度：９９．９％）を貼り付けた。この際、上下の偏光板の透過軸は、それぞれ上基板の配向膜のラビング方向，下基板の配向膜のラビング方向に平行となるようにしている。
【００６０】
なお、セルギャップは、式（３）により、液晶層のリタデーションΔｎｄがＧ（緑）の光に対して最適となる大きさとし、液晶セルＣ１，Ｃ２のセル厚（液晶層厚）をそれぞれ４．０４μｍ，４．１６μｍとなるように構成した（表２参照）。すなわち、液晶セルＣ１，Ｃ２のリタデーションΔｎｄはそれぞれ４８５ｎｍ，４９９ｎｍとなり、５５０ｎｍ付近の波長の光に対して透過表示時のコントラストが最大となるようになっている。
【００６１】
また、各液晶セルＣ１，Ｃ２について、上記液晶に混合するトータルの色素濃度ｃをそれぞれ３．６ｗｔ％，３．３ｗｔ％とし、光の吸収量（簡単のため、色素濃度ｃ×液晶層厚みｄとして計算している）が各液晶セルＣ１，Ｃ２についてそれぞれ１４．５，１３．７となるようにしている。
【００６２】
【表２】
2004020832.tif 000004
【００６３】
さらに、図７に示すように、下基板１３と下偏光板２８との間に配置する位相補償層６０として、ポリカーボネイト製の二枚の位相差フィルム（第１位相差板６１，第２位相差板６２）を使用した。これらの第１位相差板６１，第２位相差板６２には、５９０ｎｍの波長の光に対する位相差がそれぞれ４６０ｎｍ，２２０ｎｍのものを用いている。
【００６４】
また、図７に示すように、第１位相差板６１，第２位相差板６２の遅相軸を、下偏光板２８の透過軸に対してそれぞれθ１，θ２だけ傾けて配置している。この角度θ１，θ２は、液晶セルＣ１についてはそれぞれ３２°，３３°、液晶セルＣ２についてはそれぞれ２７°，３８°とし、液晶の旋光による波長分散をより良く補償するとともに下偏光板２８から入射した直線偏光の偏光面を９０°だけ回転させるようにしている。なお、二色性色素の吸収によって偏光状態が変化するため、色素濃度の異なる液晶セルＣ１と液晶セルＣ２とでは、光学特性が最適となるθ１，θ２の条件が若干異なっている。
【００６５】
また、式（１）においてＮを１とした効果を調べるために、液晶層のリタデーションΔｎｄが式（１）でＮを２とした式に基づいて設定される二種類の比較用のセル（比較セルＤ１，比較セルＤ２）を作製した。比較セルＤ１，Ｄ２の液晶層はそれぞれ１０．８μｍ，１１．２μｍとされ、いずれもＧ（緑）の光に対して最適な透過率が得られるようになっている。また、比較セルＤ１の液晶は二色性色素を混合しない通常のＴＮセルとし、比較セルＤ２では色素濃度ｃを１．３ｗｔ％として光の吸収量が液晶セルＣ１と略同一となるように構成している。
【００６６】
さらに、位相補償層６０の有無による透過表示時のコントラストの変化について調べるために、位相補償層６０を設けない比較用のセル（第３比較セルＤ３，第４比較セルＤ４）を作製した。すなわち、比較セルＤ３，Ｄ４は、それぞれ液晶セルＣ１，Ｃ２の構成において、第１位相差板及び第２位相差板を省いた構成となっている。なお、下基板１３に入射する光の偏光方向が上記液晶セルＣ１，Ｃ２と同一となるように、これらの比較セルＤ３，Ｄ４では、下偏光板２８の透過軸を下基板１３の配向膜のラビング方向に対して直交するように配置している。
【００６７】
なお、上記の各セルＣ１，Ｃ２，Ｄ１〜Ｄ４において、反射特性と透過特性とを独立に調べるために、全面反射層を有するセルと反射層が全くないセルとの二種類を作製した。
そして、輝度計を用いてこれらのセルの反射特性及び透過特性を評価した。なお、輝度計はセル正面に配置され、セルの表示面から垂直に出射された光の輝度を測定するようになっている。そして、測定値に基づいて反射率及び透過率を算出している。
【００６８】
〔階調反転に関する特性評価〕
まず、階調反転に対する効果を調べるために、反射層を有するセルを用いて０〜５Ｖまで電圧を印加しながら反射率を測定した。その結果、図１１に示すように、比較セルＤ１では、印加電圧が０Ｖ〜１．３Ｖの範囲では反射率に変化はなく、１．３Ｖ付近で一旦増大した後、１．５Ｖ付近で反射率は減少し始めた。そして、印加電圧が２．１Ｖ付近で反射率は増大に転じ、印加電圧が３．４Ｖ以降で反射率は略一定の値となった。
【００６９】
本来、二色性色素を含まない比較セルＤ１の構成では、印加電圧の有無に関わらず常に明表示を示すはずであり、ここでの反射率の変化は、純粋にリタデーションΔｎｄと旋光性との関係として説明される。つまり、１．５Ｖ〜２．１Ｖ印加時の反射率の落ち込みは、電圧印加に伴う旋光性の低下によって反射光が一部上偏光板に吸収されたことに起因していると考えられる。なお、印加電圧１．３Ｖ〜１．５Ｖでの反射率の増大は実効的なΔｎｄが式（２）を満たすような旋光性の高い状態になっていることに起因すると思われる。
【００７０】
比較セルＤ２では、比較セルＤ１が示す反射率のカーブと比較して、１．８Ｖ〜３Ｖ印加時に反射率に落ち込みが見られる。落ち込みが見られた印加電圧の領域は上記比較セルＤ１において反射率の低下が見られたのと略同じ電圧領域であり、ここでの反射率の落ち込みも旋光性の消失の過程で生じる階調反転現象として説明できる。
これに対して、液晶セルＣ１では、電圧の増加に伴って反射率は増大し続け、階調反転のない良好な反射特性が得られた。また、５Ｖ印加時の反射率は２５％程度となり、色素を混合した分反射率は低下しているものの、許容される範囲と考えられる。
【００７１】
〔透過率及びコントラストに関する特性評価〕
次に、透過表示における透過率及びコントラストの評価を行なうために、反射層のないセルを用いて、０〜５Ｖまで電圧を印加しながら透過率を測定した。その結果、図１２に示すように、比較セルＤ２，Ｄ３に関しては、４Ｖ印加時（明表示）に２８％程度の透過率を示すものの、０Ｖ（暗表示）の透過率は０．５％程度あり、コントラストは５５程度となった（表３参照）。
【００７２】
【表３】
2004020832.tif 000005
【００７３】
これに対して、液晶セルＣ１では４Ｖ印加時（明表示）の透過率と０Ｖ（暗表示）の透過率とはそれぞれ２５．１％，０．０６５％となり、比較セルＤ２に比べて暗表示の輝度（光り抜け）が一桁程度改善された。これにより、コントラストは３８６に向上し、透過表示として十分な表示特性が得られた。また、液晶セルＣ１では位相補償層を設けたことと色素を混合したこととにより明表示における透過率は若干低下しているが、それほど大幅な低下ではなく、許容できる範囲である。また、図１６に示したような円偏光を利用する従来の半透過反射型液晶表示装置の場合には、反射部をなくして画素全体を透過部にしたとしても、最大２５％の透過率しか得られないことと比較すると、リサイクル光の利用により明るい表示が得られたと考えられる。
【００７４】
色素濃度を薄くしたセルＣ２，Ｄ４についても上記と同様の測定を行なった。その結果、図１３に示すように、４Ｖ印加時（明表示）の透過率はセルＣ２，Ｄ４についてそれぞれ２６．７３％，２８．１７％となり、色素濃度の濃い上記セルＣ１，Ｄ３に比べていずれも１．５％程度の改善が見られた（表３参照）。なお、セルＣ２については０Ｖ（暗表示）の透過率が０．０８８％と若干高くなったため、コントラストは３０４に低下したが、十分許容できる範囲と考えられる。
【００７５】
また、上述の暗表示における光抜けの改善効果を詳しく調べるために、分光透過率測定を行った。その結果、図１４に示すように、液晶セルＣ１では可視光（４００ｎｍ〜７００ｎｍ）の広い波長範囲で波長分散の補償された均一な透過率が得られることがわかる。これにより、液晶セルＣ１では透過特性が可視光の略全範囲で最適化され、比較セルＤ３に比べて光抜けが大幅に低減された極めて良好な暗状態が得られることがわかる。
【００７６】
セルＣ２，Ｄ４についても同様の測定を行った結果、図１５に示すように、いずれのセルＣ２，Ｄ４についても色素濃度の濃い上記セルＣ１，Ｄ３に比べて若干透過率が増大している。これは、上記セルＣ１，Ｄ３では位相補償層によっても補償しきれずに液晶層に楕円偏光として入射した光は二色性色素によってある程度吸収されていたのに対して、色素濃度の薄いセルＣ２，Ｄ４ではこのような効果が弱まったためと考えられる。
【００７７】
【発明の効果】
以上、詳細に説明したように、本発明の構成によれば、反射表示では液晶による光の旋光性と二色性色素による光の吸収を、透過表示では液晶による旋光性のみを利用することによって、反射表示及び透過表示の表示特性を共に向上させることができる。
また、透過表示部と反射表示部との同時刻における液晶の配向状態は基本的に同じでよく、複雑な構成を必要としないため、製造を容易にすることができる。
さらに、透過表示領域に液晶層の旋光による波長分散を補償する位相補償層が設けられているため、透過表示において高いコントラストを得ることができる。
【図面の簡単な説明】
【図１】本発明の一実施形態の液晶表示装置の概略構成を示す断面図である。
【図２】同、液晶表示装置の表示原理を説明するための図であって、表示原理の説明に必要な構成要素のみを示す図である。
【図３】同、液晶表示装置の表示原理を説明するための図であって、表示原理の説明に必要な構成要素のみを示す図である。
【図４】同、液晶表示装置の表示原理を説明するための図であって、表示原理の説明に必要な構成要素のみを示す図である。
【図５】同、液晶表示装置の表示原理を説明するための図であって、表示原理の説明に必要な構成要素のみを示す図である。
【図６】同、液晶表示装置の表示原理を説明するための図であって、表示原理の説明に必要な構成要素のみを示す図である。
【図７】本発明の実施例の液晶表示装置の概略斜視図であり、構成部材の光学軸の配置を示す図である。
【図８】本発明に係る電子機器の一例を示す斜視図である。
【図９】本発明に係る電子機器の他の例を示す斜視図である。
【図１０】本発明に係る電子機器のさらに他の例を示す斜視図である。
【図１１】本発明の実施例の液晶表示装置における反射率を示す図である。
【図１２】本発明の実施例の液晶表示装置における透過率を示す図である。
【図１３】本発明の実施例の液晶表示装置における透過率を示す図である。
【図１４】本発明の実施例の液晶表示装置における暗表示の分光透過率を示す図である。
【図１５】本発明の実施例の液晶表示装置における暗表示の分光透過率を示す図である。
【図１６】従来の液晶表示装置の一例の概略構成を示す断面図である。
【図１７】同、液晶表示装置の表示原理を説明するための図であって、表示原理の説明に必要な構成要素のみを示す図である。
【符号の説明】
１０　液晶表示装置
１１　液晶セル
１２　バックライト
１３　下基板
１４　上基板
１６　液晶層
１８　半透過反射層
１８ａ　開口部
２４，３３　配向膜
２８　下偏光板
３６　上偏光板
５０　カラーフィルタ
６０　位相補償層
Ｒ　反射表示領域
Ｔ　透過表示領域
Ｓ　二色性色素分子
Ｌ　液晶分子
【図１】
2004020832.tif 000006
【図２】
2004020832.tif 000007
【図３】
2004020832.tif 000008
【図４】
2004020832.tif 000009
【図５】
2004020832.tif 000010
【図６】
2004020832.tif 000011
【図７】
2004020832.tif 000012
【図８】
2004020832.tif 000013
【図９】
2004020832.tif 000014
【図１０】
2004020832.tif 000015
【図１１】
2004020832.tif 000016
【図１２】
2004020832.tif 000017
【図１３】
2004020832.tif 000018
【図１４】
2004020832.tif 000019
【図１５】
2004020832.tif 000020
【図１６】
2004020832.tif 000021
【図１７】
2004020832.tif 000022